(57)【要約】【課題】移動しながらテレビ放送を受信可能な移動端末は、放送局の放送エリアを外れると、視聴中の番組が途中で視聴不可となってしまう課題がある。【解決手段】移動端末に、地図データ記憶手段と、現在位置検出手段と、各テレビ放送局の視聴可能な放送エリアデータ記憶手段と、現在位置で視聴可能な放送局が移動先で視聴不可となるか否かを放送エリアデータから検出する視聴不可放送局検出手段と、番組表からの録画番組選択操作による録画番組設定を前記無線通信手段を介して、テレビ放送録画再生装置に送信する録画要求通信手段を設け、移動端末は、視聴不可放送局を検出した時に、番組表からの録画番組選択操作に応じてテレビ放送録画再生装置ヘ録画要求する。【選択図】図１
2008160259.tif 000002
【特許請求の範囲】
【請求項１】
テレビ放送受信手段と、移動通信網及びこれに接続される公衆網を介して通信を行う無線通信手段とを有する移動端末から、公衆網と接続され、前記移動端末と通信可能なテレビ放送録画再生装置ヘ録画要求するテレビ放送録画方法において、
前記移動端末に、地図データを記憶する地図データ記憶手段と、現在位置を検出する位置検出手段と、各テレビ放送局の視聴可能エリアデータを記憶する放送エリアデータ記憶手段と、前記位置検出手段で検出された現在位置で視聴可能な放送局が移動先で視聴不可となるか否かを前記放送エリアデータから検出する視聴不可放送局検出手段と、前記視聴不可放送局検出手段が視聴不可放送局を検出した時に前記テレビ放送受信手段により受信される番組表を取得表示する番組表取得表示手段と、番組表からの録画番組選択操作による録画番組設定を、前記無線通信手段を介して、前記テレビ放送録画再生装置に送信する録画要求通信手段を設け、
前記移動端末は、移動先で視聴不可放送局があることを検出したら番組表を表示させ、番組表からの録画番組選択操作に応じて、前記テレビ放送録画再生装置ヘ録画番組設定を送信することを特徴とするテレビ放送録画方法。
【請求項２】
テレビ放送受信手段と、移動通信網及びこれに接続される公衆網を介して通信を行う無線通信手段を有する移動端末において、
地図データを記憶する地図データ記憶手段と、現在位置を検出する位置検出手段と、各テレビ放送局の視聴可能エリアデータを記憶する放送エリアデータ記憶手段と、前記位置検出手段で検出された現在位置で視聴可能な放送局が移動先で視聴不可となるか否かを前記放送エリアデータから検出する視聴不可放送局検出手段と、前記テレビ放送録画再生装置ヘの録画要求を、前記無線通信手段を介して行う録画要求通信手段と、前記視聴不可放送局検出手段が視聴不可放送局を検出した時に視聴不可放送局を報知する視聴不可放送局報知手段と、を設けたこと特徴とする移動端末。
【請求項３】
請求項２に記載の移動端末において、
前記視聴不可放送局検出手段が視聴不可放送局を検出した時に前記テレビ放送受信手段により受信した番組表を取得表示させる番組取得表示手段と、番組表からの録画番組選択操作による録画番組設定を、前記無線通信手段を介して、前記テレビ放送録画再生装置に送信する録画要求通信手段を設けたことを特徴とする移動端末。
【請求項４】
請求項２または請求項３に記載の移動端末において、
前記位置検出手段で検出される現在位置から利用者により設定される目的地位置までの経路探索を行うカーナビゲーション機能が備えられており、目的地設定時に、前記カーナビゲーション機能を用いて前記視聴不可放送局検出手段による視聴不可放送局を検出することを特徴とする移動端末。
【請求項５】
テレビ放送受信手段と、移動通信網及びこれに接続される公衆網を介して通信を行う無線通信手段とを有する移動端末から、公衆網に接続され、前記移動端末と通信可能なテレビ放送録画再生装置ヘ録画要求を行うテレビ放送録画方法において、
前記移動端末に地図データを記憶する地図データ記憶手段と、現在位置を検出する位置検出手段と、各テレビ放送局の視聴可能エリアデータを記憶する放送エリアデータ記憶手段と、前記位置検出手段で検出された現在位置において視聴中の放送局が移動先において視聴不可となるか否かを前記放送エリアデータから検出する視聴中放送局視聴不可検出手段と、視聴中の番組の録画要求を、前記無線通信手段を介して前記テレビ放送録画再生装置に送信する録画要求通信手段とを設け、
前記移動端末は、前記視聴中放送局視聴不可検出手段が視聴中の放送局が移動先で視聴不可となることを検出したら、前記無線通信手段を介して前記テレビ放送録画再生装置ヘ視聴中番組の録画要求を行うことを特徴とするテレビ放送録画方法。
【請求項６】
テレビ放送受信手段と、移動通信網及びこれに接続される公衆網を介してテレビ放送録画再生装置と通信を行う無線通信手段を有する移動端末において、
地図データを記憶する地図データ記憶手段と、現在位置を検出する位置検出手段と、各テレビ放送局の視聴可能エリアデータを記憶する放送エリアデータ記憶手段と、前記位置検出手段で検出された位置において視聴中放送局が、移動先において視聴不可となるか否かを前記放送エリアデータから検出する視聴中放送局視聴不可検出手段と、前記テレビ放送録画再生装置ヘの録画要求を前記無線通信手段を介して行う録画要求通信手段とを設け、
前記視聴中放送局視聴不可検出手段が視聴中の放送局が移動先で視聴不可となることを検出したら、前記無線通信手段を介して前記テレビ放送録画再生装置ヘ視聴中番組の録画要求を行うことを特徴とする移動端末。
【発明の詳細な説明】
【技術分野】
【０００１】
本発明は、外出先から自宅等に設置されたテレビ放送録画再生装置に録画設定を行う方法に関し、特にテレビ放送を視聴可能な自動車に搭載されるカーナビゲーション、携帯電話等の移動端末で視聴可能なテレビ放送の見逃しを防止するためのテレビ放送録画方法及びこれを用いた移動端末に関する。
【背景技術】
【０００２】
近年、テレビ放送受信機能を内蔵したカーナビゲーション、携帯電話等が普及している。これらは、据え置き型のテレビ放送受信装置と異なり、移動しながらのテレビ放送の受信、視聴が可能である。
【０００３】
しかしながら、テレビ放送は、放送局の放送エリア内において視聴可能なものであるため、移動により視聴中のテレビ放送の放送エリアを外れ、途中で視聴不可となるケースが考えられる。また、放送エリアに限らず、トンネル内等、電波が遮られる場合においても、途中で視聴不可となるケースが考えられる。
【０００４】
このような移動に伴って視聴不可となってしまう課題を解決する手段として、携帯電話等を利用して外出先から自宅の録画再生装置の録画を行うようにすることが考えられる。特許文献１記載の「番組録画システム、通信端末、録画再生装置」は、テレビ放送受信機能つき携帯電話等の通信端末を用いて自宅の録画再生装置に対し、外出先から所望の番組の録画を指示するように構成し、帰宅後に改めて視聴可能とする技術を備えている。
【０００５】
また、特許文献２記載の「テレビ放送受信システム」は、外出先で移動体放送受信装置によるテレビ視聴を行った場合、あわせて自宅の録画再生装置に視聴する番組の記録を行わせるようにしておき、受信障害が発生した時でも視聴可能とする技術を備えている。また、更に、特許文献２には、テレビ放送の受信障害が発生した時刻等の受信障害情報を記録しておき、帰宅時に受信障害情報を自宅の録画再生装置に送信することにより、視聴できなかった部分の録画位置を容易に検索できるようにした技術が開示されている。また、特許文献３には、携帯電話機がインターネットを介してビデオ操作サーバにビデオデッキの操作信号を送信すると、ビデオ操作サーバはこれをビデオデッキに従った形式に変換してビデオデッキに送信することにより、携帯電話機からの操作命令に基づいてビデオデッキを遠隔操作する技術が開示されている。
【特許文献１】特開２００５−２６０８５６号公報
【特許文献２】特開２００６−３３１２０号公報
【特許文献３】特開２００２−１７６６１０号公報
【発明の開示】
【発明が解決しようとする課題】
【０００６】
上記背景技術で記したように、移動しながらテレビ放送を受信可能な端末は、放送局の放送エリアを外れると、視聴中の番組が途中で視聴不可となってしまう課題がある。本課題の解決策として、上記特許文献１の技術を使うことが考えられる。これによれば、移動中に視聴困難となった場合等において、自宅の録画再生装置に視聴中の番組録画を行わせることで視聴できなかった箇所の番組視聴を帰宅後に視聴することが可能となる。
【０００７】
しかしながら、特許文献１は、自宅の録画再生装置へ指示するには利用者が通信端末を操作するものであり、また、テレビ放送局の放送エリアや受信障害を考慮したものでは無い。このため、本発明で取り上げた課題の解決手段として使用する場合、利用者がテレビ放送の受信状態を見て、意識的に操作指示しければならなくなるため、操作に手間が係る課題がある。更には、操作の手間により、自宅の録画再生装置への録画指示の遅れが生じると、見逃しが生じることになるため、使い勝手の面で課題がある。
【０００８】
また、特許文献２によれば、外出先で視聴する番組を自宅の録画再生装置に録画するので、外出先において、受信障害が発生した場合であっても帰宅後に改めて視聴することが可能となる。しかしながら、特許文献２は、受信障害有無に係わらず、外出先で視聴する番組はあらかじめ録画しておくことになるため、不要な録画データも多くなることが考えられる。このため、録画再生装置に要する記録容量は膨大なものが必要となり、係るコストが高価になってしまう懸念がある。
【０００９】
本発明は上記課題を解決するものであり、前記車載テレビ放送受信装置、テレビ受信機能内蔵携帯電話等でテレビ放送視聴中に視聴中のテレビ番組の放送局の放送エリア情報と目的地までの走行経路とから、視聴不可となる放送局があることを利用者に通知し、更に、容易に自宅の録画再生装置に録画指示することを可能とするテレビ放送録画方法及びこれを用いた車載端末、携帯端末を提供することを目的とする。
【課題を解決するための手段】
【００１０】
上記目的を達成するために、本発明１のテレビ放送録画方法は、テレビ放送受信手段と、移動通信網及びこれに接続される公衆網を介して通信を行う無線通信手段とを有する移動端末から、公衆網と接続され、前記移動端末と通信可能なテレビ放送録画再生装置へ録画要求し、前記移動端末に、地図データを記憶する地図データ記憶手段と、現在位置を検出する位置検出手段と、各テレビ放送局の視聴可能エリアデータを記憶する放送エリアデータ記憶手段と、前記位置検出手段で検出された現在位置で視聴可能な放送局が移動先で視聴不可となるか否かを前記放送エリアデータから検出する視聴不可放送局検出手段と、前記視聴不可放送局検出手段が視聴不可放送局を検出した時に前記テレビ放送受信手段により受信される番組表を取得表示する番組表取得表示手段と、番組表からの録画番組選択操作による録画番組設定を、前記無線通信手段を介して、前記テレビ放送録画再生装置に送信する録画要求通信手段を設け、前記移動端末は、移動先で視聴不可放送局があることを検出し、番組表を表示させ、番組表からの録画番組選択操作に応じて、前記テレビ放送録画再生装置ヘ録画番組設定を送信することを特徴とする。
【００１１】
本発明２の移動端末は、テレビ放送受信手段と、移動通信網及びこれに接続される公衆網を介して通信を行う無線通信手段を有し、地図データを記憶する地図データ記憶手段と、現在位置を検出する位置検出手段と、各テレビ放送局の視聴可能エリアデータを記憶する放送エリアデータ記憶手段と、前記位置検出手段で検出された現在位置で視聴可能な放送局が移動先で視聴不可となるか否かを前記放送エリアデータから検出する視聴不可放送局検出手段と、前記テレビ放送録画再生装置ヘの録画要求を、前記無線通信手段を介して行う録画要求通信手段と、前記視聴不可放送局検出手段が視聴不可放送局を検出した時に視聴不可放送局を報知する視聴不可放送局報知手段と、を設けたこと特徴とする。
【００１２】
また、本発明３のテレビ放送録画方法は、テレビ放送受信手段と、移動通信網及びこれに接続される公衆網を介して通信を行う無線通信手段とを有する移動端末から、公衆網に接続され、前記移動端末と通信可能なテレビ放送録画再生装置ヘ録画要求を行い、前記移動端末に地図データを記憶する地図データ記憶手段と、現在位置を検出する位置検出手段と、各テレビ放送局の視聴可能エリアデータを記憶する放送エリアデータ記憶手段と、前記位置検出手段で検出された現在位置において視聴中の放送局が移動先において視聴不可となるか否かを前記放送エリアデータから検出する視聴中放送局視聴不可検出手段と、視聴中の番組の録画要求を、前記無線通信手段を介して前記テレビ放送録画再生装置に送信する録画要求通信手段とを設け、前記移動端末は、前記視聴中放送局視聴不可検出手段が視聴中の放送局が移動先で視聴不可となることを検出したら、前記無線通信手段を介して前記テレビ放送録画再生装置ヘ視聴中番組の録画要求を行うことを特徴とする。
【００１３】
また、本発明４の移動端末は、テレビ放送受信手段と、移動通信網及びこれに接続される公衆網を介してテレビ放送録画再生装置と通信を行う無線通信手段を有し、地図データを記憶する地図データ記憶手段と、現在位置を検出する位置検出手段と、各テレビ放送局の視聴可能エリアデータを記憶する放送エリアデータ記憶手段と、前記位置検出手段で検出された位置において視聴中放送局が、移動先において視聴不可となるか否かを前記放送エリアデータから検出する視聴中放送局視聴不可検出手段と、前記テレビ放送録画再生装置ヘの録画要求を前記無線通信手段を介して行う録画要求通信手段とを設け、前記視聴中放送局視聴不可検出手段が視聴中の放送局が移動先で視聴不可となることを検出したら、前記無線通信手段を介して前記テレビ放送録画再生装置ヘ視聴中番組の録画要求を行うことを特徴とする。
【発明の効果】
【００１４】
本発明１又は本発明２によれば、利用者はカーナビの目的地設定を行った時点で現在位置において視聴可能な放送局のうち、移動先で視聴不可となる放送局が有るか否かを、事前に知ることが可能となり、利便性向上の効果がある。また視聴不可放送局がある際には、番組表が自動的に表示されるので、利用者は番組表から録画したい番組を選択するだけの簡単な操作のみで、途中で視聴不可となって番組を見逃してしまう事態を回避できる。
【００１５】
また、本発明３又は本発明４によれば、現在視聴中の番組の放送局が、移動先で視聴不可となるか否か事前に検出し、視聴不可となる場合には自動的に現在視聴中の番組の録画要求をレコーダに行うようにしているので、利用者は手間を要することなく、途中で視聴不可となって番組を見逃してしまう事態を回避する。本実施の形態においては、特に自動車の運転中等、手が離せない状況において、特に利便性向上を図れる効果がある。
【発明を実施するための最良の形態】
【００１６】
以下、図面に基づいて、本発明の実施の形態を説明する。
【実施例１】
【００１７】
図１は、本発明の実施例１のテレビ放送録画方法のテレビ放送受信機能を有するカーナビゲーションシステム（以下カーナビと記す）に適用する場合のカーナビの構成例及びレコーダとの通信システム構成例を示している。
【００１８】
図１において、１０１は本発明を適用したカーナビ１０１は自宅等に設置されたテレビ放送を録画再生するレコーダを示している。レコーダ１０２はＤＶＤレコーダやビデオテープレコーダ等であり、インターネット、電話回線等の通信回線を介して録画予約等の操作制御可能な機能も有する。通信回線を介して録画を可能とする機能を有するレコーダは既に製品化されているので、本発明では、レコーダ１０２は公知のものとして説明する。
【００１９】
図１において、１０３は携帯電話、１０４は携帯電話１０３と無線回線を確立する基地局、１０５は携帯電話事業者が構築する携帯電話通信網、１０６は公衆回線網を示している。
【００２０】
携帯電話１０３はカーナビ１０１からの録画要求をレコーダ１０２へ送信するための通信手段として設けており、図示のようにカーナビ１０１と接続して使用する。携帯電話通信網１０５は詳細図示しないが、移動機交換局等を備えており、無線基地局１０３を含め、複数の無線基地局を収容して、公衆回線網１０６へ交換接続を行う構成となっている。そして、レコーダ１０２は公衆回線網１０６と接続した構成としており、カーナビ１０１は、携帯電話通信網１０５、公衆回線網１０６を介してレコーダ１０２と通信を行う。
【００２１】
次に、図１に示したカーナビ１０１の内部構成について説明する。カーナビ１０１において、１０１１はカーナビ全体制御部を示している。カーナビ全体制御部１０１１はＣＰＵ、メモリ（ＲＯＭ、ＲＡＭ）をベースに構成されるものであり、図示のような周辺構成要素が接続される構成としている。
【００２２】
カーナビ全体制御部１０１１は、実装されるソフトウェアの処理手順に従って、接続される各周辺構成要素を制御しながら、カーナビ１０１のシステム全体の制御を行い、利用者に経路検索機能をはじめ、カーナビ１０１の有する各種機能を提供する。
【００２３】
また、本実施例１では、カーナビ全体制御部１０１１は、携帯電話１０３を使った通信制御を行うための携帯電話通信制御処理部１０１１２、及び本発明の特徴となるレコーダ録画制御処理部１０１１１も含むものとしている。
【００２４】
以下、カーナビ全体制御部１０１１に接続される各周辺構成要素について記す。
１０１２はＧＰＳ衛星から送られる電波を受信するＧＰＳ受信部である。カーナビ全体制御部１０１１はＧＰＳ受信部１０１２からの入力を受け、自車位置の緯度、経度データを検出する。１０１３はカーナビ操作部であり、カーナビ１０１の利用者が目的地設定等の各種設定を行うためのリモコン等の操作手段である。１０１４はカーナビ表示部であり、経路案内用の地図データを始め、経路検索により得られた走行ルート、目的地への到着予定時刻等各種情報を表示する液晶モニタ等の表示出力手段である。
【００２５】
１０１５は経路案内用の地図データを記憶する地図データ記憶部であり、ＣＤ−ＲＯＭ、ＤＶＤ−ＲＯＭ等の記録メディア及びこれらメディアにアクセスするためのドライブ装置からなるものである。１０１６はテレビ放送を受信するためのテレビ放送受信部、１０１７は本発明の特徴となる放送エリア情報記憶部を示している。テレビ放送受信部１０１６は、カーナビ操作部１０１３からの選局指示をカーナビ全体制御部１０１１を介して受けてテレビ放送を受信する。受信したテレビ放送は、カーナビ表示部１０１４に表示出力して視聴可能な構成としている。
【００２６】
放送エリア情報記憶部１０１７は各テレビ放送局の放送エリア情報を記憶するものとして設けている。放送エリア情報記憶部１０１７は、本実施の形態では、図２に示すように放送局名と視聴可能放送エリア情報とを対応付けたリストとしている。視聴可能放送エリア情報は、ここでは県名を記憶させるようにしている。
図２によれば、ａ放送局は、Ａ県、Ｂ県、Ｃ県、ｄ放送局はＢ県、Ｃ県、Ｄ県、で視聴可能であることを示している。
【００２７】
次に、図１のシステム構成における実施例１について説明する。
実施例１は、利用者がカーナビ１０１にて目的地設定して経路検索した際に現在の自車位置で視聴可能な放送局が、設定した目的地へ到着するまでに視聴不可となる放送局を検出し、レコーダ１０２へ録画要求するものである。
【００２８】
図３は実施例１を実現する場合のカーナビ全体制御部１０１１における処理フローチャートを示している。図３においてＳ３０１は自車位置情報取得処理、Ｓ３０２は自車位置周辺地図表示処理を示している。自車位置情報取得処理Ｓ３０１は、ＧＰＳ受信部１０１２からの入力を受けて自車の緯度、経度データを検出する処理を行う。Ｓ３０２は、自車位置周辺地図表示処理であり、Ｓ３０１で検出された自車の緯度、経度データを含む地図情報を地図データ記憶部１０１５から読み出してカーナビ表示部１０１４ヘ表示出力させる処理を行う。
【００２９】
Ｓ３０３は利用者操作有無検出処理であり、カーナビ操作部１０１３からの操作入力の変化を検出する処理を行う。Ｓ３０３にて操作有りを検出するまではＳ３０１、Ｓ３０２の処理を繰り返し、その間、自車の移動があれば、自車位置表示を更新させるように処理を行う。Ｓ３０３で操作有りを検出した場合は、Ｓ３０４の操作種別判別処理を実行する。カーナビ操作部１０１３ではカーナビ１０１に対する様々な操作がなされるので、Ｓ３０４にて、その操作種別を判別する処理を行う。ここでは、操作種別は、「目的地設定操作」、カーナビ１０１の使用を終了する「終了操作」、「その他機能設定等操作」があるものとして説明する。
【００３０】
Ｓ３０４において、「目的地設定操作」を検出した場合、Ｓ３０６以降の処理を行い、「終了操作」を検出した場合は、図示のように処理を終了する。「その他機能設定等操作」の場合は、Ｓ３０５の操作種別対応処理にて操作種別に応じた処理を行って、Ｓ３０１の処理へ戻るようにしている。
【００３１】
以下、「目的地設定操作」を検出した場合のＳ３０６以降の処理について記す。Ｓ３０６は設定目的地の位置表示処理であり、先に表示した地図上に目的地のマーク等を表示させる処理を行う。Ｓ３０７は経路検索処理であり、あらかじめ利用者によって設定された経路探索条件（距離優先、時間優先、有料道路の使用有無等）に従って、現在自車位置から設定された目的地までの経路計算を行う。
【００３２】
Ｓ３０８は探索経路表示処理であり、経路検索処理Ｓ３０７にて探索された現在の自車位置から設定した目的地までの経路を地図上に重ねあわせて表示させる処理を行う。Ｓ３０９からＳ３１４までの処理は、図１におけるレコーダ録画制御部１０１１１に係る処理である。
【００３３】
ここで、図４にＳ３０８の探索経路表示処理を行った結果のカーナビ表示部１１０４での地図及び探索経路の表示例を示す。図４において、４０１は現在の自車位置、４０２は設定した目的地、４０３、４０４は道路を示している。図示の道路のうち、太線で示した４０３の部分は経路探索処理Ｓ３０７で探索された経路を示している。そして、点線で記した４０５は県境を示している。
【００３４】
以下、図４を例としてＳ３０９以降の各処理について説明する。
Ｓ３０９は自車位置、目的地間通過位置検出処理Ｓ３０９である。Ｓ３０９は、経路検索処理Ｓ３０７にて得られた探索経路において、現在の自車位置から目的地到着までの通過する県名をリストアップする処理を行う。Ｓ３０９は、例えば、探索経路４０３と県境４０５との関係から自車位置４０１から目的地４０２までの経路において、通過する県名をリストアップする処理を行う。図４の例においては、現在の自車位置４０１から設定目的地４０２まで走行する間に通過する県は、Ａ県、Ｃ県、Ｄ県となることがわかり、Ｓ３０９はこれを検出する処理を行う。
【００３５】
そして、自車位置、目的地間通過位置検出処理Ｓ３０９の次にＳ３１０の視聴不可放送局及び位置検出処理を行う。視聴不可放送局及び位置検出処理Ｓ３１０では、Ｓ３０９で検出された県名と図２に示した視聴可能放送エリア情報で設定される県名とを比較しながら、自車位置４０１の属するＡ県で視聴可能である放送局のうち、Ｃ県、Ｄ県と移動する間に視聴不可となる放送局名とその放送局が視聴不可となる県名を検出する処理を行う。
【００３６】
具体的には、自車位置４０１の属するＡ県においては、図２の放送エリア情報から、ａ放送局、ｂ放送局、ｃ放送局が受信可能であることが検出される。同様にＣ県においてはａ放送局、ｂ放送局、ｃ放送局、ｄ放送局が受信可能であり、Ｃ県で視聴できなくなる放送局はないことが検出される。更に目的地４１２のＤ県ではｂ放送局、ｃ放送局、ｄ放送局が視聴可能であるので、Ａ県で視聴可能なａ放送局がＤ県では視聴不可となることが検出される。
【００３７】
以上のようにして、Ｓ３１０では、視聴不可放送局名がａ放送局、視聴不可となる県名がＤ県というように結果を出力する処理を行う。次のＳ３１１は、視聴不可放送局有無判定処理であり、視聴不可放送局及び位置検出処理Ｓ３１０での結果をチェックし、目的地４０２に辿り着くまで視聴不可となる放送局がない場合は、図示のようにＳ３０１処理に戻り、前述の処理を繰り返すように動作する。
【００３８】
そして、Ｓ３１１にて視聴不可となる放送局があると判定された場合、視聴不可放送局及び位置検出処理Ｓ３１０での検出結果をカーナビ表示部１０１４に表示させ、利用者に途中で視聴不可となる放送局があることを通知する。本通知は音声出力によるものでも良い。そして、次に番組表取得処理Ｓ３１２を行う。前述の例では、ａ放送局が視聴不可となるので、Ｓ３１２ではａ放送局を含む番組表を取得する処理を行う。
【００３９】
テレビ放送の番組表の取得は、電子番組ガイドＥＰＧ（Electronic  Program  Guide）として知られるものがあり、これはテレビ放送波と共に送られるデータから取得可能なものである。本発明の実施例１では、テレビ放送受信部１０１６で取得するものとし、番組表取得処理Ｓ３１２は、テレビ放送受信部１０１６を介して、番組表を取得し、取得した番組表をカーナビ表示部１０１４に表示出力させる処理を行う。
【００４０】
図５に上記視聴不可放送局と番組表のカーナビ表示部１０１４での表示出力例を示す。図５において、５０１はＳ３１０での検出結果の通知用表示例であり、５０２はＳ３１２で取得した番組表の表示例を示している。図示の「ｘｘｘ」「○○○」は番組名を示すものとしている。図示のようにすることで、利用者は視聴不可放送局の番組を知ることが可能となる。
【００４１】
そして、Ｓ３１３は録画要求有無判定処理であり、番組取得処理Ｓ３１２で取得した番組表から利用者が録画しておきたい番組をカーナビ操作部１０１３の操作により選択したか否かをチェックする処理を行う。例えば、図５において「○○○」を選択すると、Ｓ３１３では録画要求有りと判定し、Ｓ３１４の録画要求通信処理を行う。録画要求通信処理Ｓ３１４では、番組表において選択された放送局、放送時刻データを抽出し、レコーダ１０２ヘ送信する処理を行うものである。「○○○」の場合は放送局名がａ放送局、放送時刻が１０：００となる。レコーダ１０２への録画要求の送信は、携帯電話通信制御処理部１０１１２により、携帯電話１０３を使った通信により行う。
【００４２】
以下、携帯電話１０３を使った録画要求通信シーケンス例を説明する。
図６に携帯電話による録画要求通信シーケンス図を示す。図６において、前述と同じ構成要素には同一符号を付している。カーナビ１０１以下の処理ブロックは図３のフローチャートと同様の処理を行うが、図６では流れを説明するのに必要な主要な処理ブロックのみを抜粋して示している。
【００４３】
前述のように本発明の実施例１では、利用者操作有無検出処理Ｓ３１３にて、ユーザ操作による目的地設定がなされたタイミングにて動作を開始し、まずは通常のナビゲーション処理で行う経路探索処理Ｓ３０７を行った後、視聴不可放送局有無判定処理Ｓ３１０を行う。視聴不可放送局有無判定処理Ｓ３１０で視聴不可放送局有りと判定された場合に番組表取得処理Ｓ３１２を行い、録画要求有無判定処理Ｓ３１３にてユーザ操作による録画要求を判定する処理を行う。録画要求有無判定処理Ｓ３１３にて、ユーザにより番組表より録画したい番組の選択がなされたことにより、録画要求有りと判定すると以下の録画要求通信処理Ｓ３１４を実行する。
【００４４】
録画要求通信処理Ｓ３１４では、携帯電話通信制御処理部１０１１２を介して、データ通信接続要求６０１を送出する。携帯電話通信制御処理部１０１１２は携帯電話１０３に対してモデム制御で一般的に使われるＡＴコマンド等に変換して、携帯電話１０３にデータ通信モードでの通信接続要求、後述する通信切断要求等、携帯電話１０３の外部インタフェースで規定された処理を行うものとして設けている。携帯電話１０３は、データ通信接続要求６０１を受けると通信回線確立ネゴシエーションを行う。
【００４５】
図６では無線基地局１０４、携帯電話通信網１０５、公衆回線網１０６は図示していないが、携帯電話１０３は、データ通信接続要求６０１を受けると、無線基地局１０４を介して携帯電話通信網１０５内の交換局との公衆回線網１０６を介してレコーダ１０２と通信するための各種パラメータ等をネゴシエーションする。携帯電話１０３は、通信回線ネゴシエーションが確立したらカーナビ１０１側ヘデータ通信確立応答６０２を通知する。データ通信確立応答６０２は、携帯電話通信制御処理部１０１１２を介して、録画要求通信処理Ｓ３１４ヘ送られる。
【００４６】
以降、図示のように、カーナビ１０１とレコーダ１０２間はデータ通信確立中の状態となり、データ通信が可能となる。録画要求通信処理Ｓ３１４は、データ通信確立応答６０２を受けたら、番組録画予約要求６０３を携帯電話１０３を介してレコーダ１０２ヘ送信する。番組録画予約要求６０３として送信するデータは、取得した番組表で録画要求として選択された放送局、録画予約時間の情報を含むデータである。
【００４７】
Ｓ５０１はレコーダ１０２での録画予約処理を示しており、ここではカーナビ１０１側からの番組録画予約要求６０３を受けてレコーダ１０２内での録画予約に係る処理を行うものである。レコーダ１０２は録画予約処理Ｓ５０１が完了したら録画予約受付確認６０４をカーナビ１０１側ヘ送信する。録画予約通信処理Ｓ３１４では録画予約受付確認６０４を受けたら携帯電話通信制御処理部１０１１２を介して、携帯電話１０３に対してデータ通信切断要求６０５を送信する。携帯電話１０３は通信回線切断ネゴシエーションを行った後、カーナビ１０１側ヘデータ通信切断応答６０６を送信し、レコーダ１０２との通信回線を切断する。
【００４８】
録画予約送信処理Ｓ３１４もデータ通信切断応答６０６を受けて処理を終了する。以上のようなシーケンスにより、カーナビ１０１側からレコーダ１０２ヘ携帯電話１０３を使って録画予約を行うことが可能である。
【００４９】
以上、説明したように、実施例１によれば、利用者は、カーナビ１０１にて経路検索の際の目的地設定の時に、通常のナビゲーション処理に加えて、目的地到着までの間に視聴不可となってしまう放送局があるか否かを検出し、視聴不可となる放送局が有る場合は、その旨を報知し、更に録画予約用に番組表を表示させるようになる。従って、カーナビ１０１の利用者は、途中で視聴不可となってしまう番組があることを事前に知ることが可能となり、また、利用者が録画しておきたい番組がある場合は表示される番組表から選択するのみの簡単操作で録画予約することが可能となるので、途中で視聴不可となって番組を見逃してしまう事態を回避できる。
【００５０】
上記実施例１では既存のＥＰＧ等を利用して番組表取得することを記したが、番組表の表示方法として、取得した番組表から、視聴不可となる放送局の番組表だけを表示させることや、更には視聴不可となる位置を検出しているので、視聴不可となる位置に到着するまでの予測時間から視聴不可となる時間を予測し、その時間前後の番組表のみを表示させるといったことも可能である。これによれば利用者によりわかりやすく視聴不可となる番組を通知することが可能となり、利便性向上が図れる。
【実施例２】
【００５１】
次に本発明を適用する実施例２を説明する。
実施例２では、走行中に視聴中の放送局が視聴不可となること事前に検出してレコーダ１０２へ録画要求するようにした形態である。実施例２もシステム構成は図１に示す構成を用い、カーナビ全体制御部１０１１での処理を変えることで実現可能である。
【００５２】
図７は実施例２を行う場合のカーナビ全体制御部１０１１での処理フローチャートの例を示しており、走行中の処理例を示している。
図７において、前述の図３に示した処理と同じ処理を行うものは同一符号を付しており、詳細の説明を省略する。
【００５３】
図７において、Ｓ７０１はテレビ視聴状態判定処理である。Ｓ７０１処理では利用者がテレビを視聴しているか否かを判定するものであり、例えばテレビ放送受信部１０１６の電源ＯＮ／ＯＦＦ状態から判定を行う。Ｓ７０１処理にてテレビを視聴していない状態（非視聴中）である場合は自車位置情報取得処理Ｓ３０１、自車位置周辺地図表示処理Ｓ３０２を行う。Ｓ７０１処理でテレビを視聴中であると判定した場合は、視聴中放送局名取得処理Ｓ７０２を行う。例えばカーナビ操作部１０１３で利用者が視聴する放送局を選局した時にその放送局名を内部のメモリに記憶しておき、Ｓ７０２では記憶されている放送局名を読み出す処理を行う。そして、Ｓ７０３の県境接近検出処理を行う。実施例２においても実施例１と同様、放送エリアを県単位で扱うようにした例で説明する。
【００５４】
Ｓ７０３処理は自車の走行位置から県境までの距離を検出する処理を行うものである。Ｓ７０３処理を、図８を用いて説明する。図８において図４と同一構成要素には同一符号を付している。図８は、自車位置４０１がＣ県にあり、Ｄ県の方向ヘ進行していることを示している。図中８０１はＣ県からＤ県ヘ向かう道路と県境との交差位置を示している。Ｓ７０３処理では、自車位置４０１の進行経路と県境との交差位置８０１までの距離を検出する処理を行う。
【００５５】
そして、Ｓ７０４処理にてＳ７０３処理で検出した距離が所定距離に到達したか否かの判定処理を行う。ここで所定距離は視聴中の放送局が次の県で視聴可能か否かの検出処理を起動するタイミングを決めるものとしてあらかじめ設定しておく距離で有り、例えば５ｋｍ等と決めておく。本設定はカーナビ操作部１０１３から変更できるようにしておいても良い。Ｓ７０４処理にて自車位置４０１と県境交差位置８０１との距離が５ｋｍに到達して否ければＳ３０１処理に戻り、前述の処理を繰り返す。そして、５ｋｍ以下となったらＳ７０５の視聴中放送局視聴不可判定処理を行う。
【００５６】
Ｓ７０５処理ではＳ７０２処理で取得した放送局と図２に示した放送エリア情報とを比較する処理を行う。例えば、Ｓ７０２処理で取得した放送局、すなわち利用者が視聴中の放送局がａ放送局であった場合、Ｓ７０５処理では、図２の放送エリア情報のＤ県における視聴可能放送エリア情報を参照し、ａ放送局が視聴可能か否かを検出する。図２の例ではａ放送局にＤ県は含まれていないため、継続視聴不可と判定され、次の録画要求データ生成処理Ｓ７０６を行う。Ｓ７０５処理において、継続視聴可と判定された場合はＳ３０１処理ヘ戻り、前述の処理を繰り返すように処理が流れる。
【００５７】
Ｓ７０６処理では、レコーダ２０１に対して録画要求を行うためのデータを生成する処理を行うものであり、Ｓ７０２処理で取得した放送局を即時に録画するよう要求するデータを生成する。
そして、録画要求通信処理Ｓ３１４にて、実施例１と同様に携帯電話１０３を通信手段としてレコーダ１０２と通信回線を結び、録画要求データをレコーダ１０２ヘ送信する。
【００５８】
以上、説明したように、実施例２によれば、走行中に視聴中の放送局の番組が継続視聴可能か否かを事前に検出して、継続視聴不可の場合には自動的にレコーダ１０２ヘ録画要求を行うので、利用者は視聴中の番組の続きを帰宅時に視聴することが可能となり、途中視聴不可となってしまう番組の見逃しを防止することが可能となる。本実施例２においては、利用者が録画要求操作する必要がなく実現可能であるので、特に運転中等手が離せない状況における利便性の向上を図ることが可能となる。
【産業上の利用可能性】
【００５９】
本発明は、移動体に搭載されるテレビ放送受信装置で利用可能であり、携帯電話、カーナビゲーション、パーソナルコンピュータ等に適用可能である。
【図面の簡単な説明】
【００６０】
【図１】本発明を適用したカーナビの構成例及びレコーダとの通信システム構成例である。
【図２】本発明における放送エリア情報の構成例を示す図である。
【図３】発明の実施例１のカーナビ全体制御部の処理フローチャートである。
【図４】実施例１の処理フローを説明するための地図表示例である。
【図５】視聴不可放送局、番組表の表示例である。
【図６】携帯電話によるカーナビ、レコーダ間の通信シーケンス例である。
【図７】本発明の実施例２のカーナビ全体制御部の処理フローチャートである。
【図８】実施例２の処理フローを説明するための地図表示例である。
【符号の説明】
【００６１】
１０１    カーナビゲーションシステム
１０１１    カーナビ全体制御部
１０１２    ＧＰＳ受信部
１０１３    カーナビ操作部
１０１４    カーナビ表示部
１０１５    地図データ記憶部
１０１６    テレビ放送受信部
１０１７    放送エリア情報記憶部
１０１１１    レコーダ録画制御処理部
１０１１２    携帯電話通信制御処理部
１０２    レコーダ
１０３    携帯電話
１０４    無線基地局
１０５    携帯電話通信網
１０６    公衆回線網
Ｓ３０１    自車位置情報取得処理
Ｓ３０２    自車位置周辺地図表示処理
Ｓ３０３    利用者操作有無チェック処理
Ｓ３０４    操作種別判別処理
Ｓ３０５    操作種別対応処理
Ｓ３０６    設定目的地の位置表示処理
Ｓ３０７    経路探索処理
Ｓ３０８    探索経路表示処理
Ｓ３０９    現在値−目的地間通過位置情報検出処理
Ｓ３１０    視聴不可放送局及び位置検出処理
Ｓ３１１    視聴不可放送局有無チェック処理
Ｓ３１２    番組表取得処理
Ｓ３１３    録画要求有無判定処理
Ｓ３１４    録画要求通信処理
４０１    自車位置のマーク
４０２    設定目的地のマーク
４０３    経路探索で選択された道路
４０４    経路探索で選択されていない道路
４０５    県境
５０１    視聴不可放送局及び位置報知メッセージ
５０２    番組表
Ｓ５０１    録画予約処理
６０１    データ通信接続要求
６０２    データ通信確立応答
６０３    番組録画予約要求
６０４    録画予約受付確認
６０５    データ通信切断要求
６０６    データ通信切断応答
Ｓ７０１    テレビ放送視聴状態判定処理
Ｓ７０２    視聴中放送局名取得処理
Ｓ７０３    県境接近検出処理
Ｓ７０４    所定距離到達チェック処理
Ｓ７０５    視聴中放送局視聴不可判定処理
Ｓ７０６    録画要求データ生成処理
８０１    進行経路と県境との交差位置を示すマーク
【図１】
2008160259.tif 000003
【図２】
2008160259.tif 000004
【図３】
2008160259.tif 000005
【図４】
2008160259.tif 000006
【図５】
2008160259.tif 000007
【図６】
2008160259.tif 000008
【図７】
2008160259.tif 000009
【図８】
2008160259.tif 000010